(57)【要約】【課題】近距離の位置や直下位置から見ても面白みがあり色変化が十分楽しめる観覧車を提供すること目的とする。【解決手段】  乗り籠１に電飾表示部２が付設され、電飾表示部２は、乗り籠１の底壁部の下面側に付設されている。電飾表示部２は、同芯円状に配置された複数本の発光管を有する。【選択図】    図１
2005137583.tif 000002
【特許請求の範囲】
【請求項１】
乗り籠（１）に電飾表示部（２）を付設したことを特徴とする観覧車。
【請求項２】
上記電飾表示部（２）は、上記乗り籠（１）の底壁部（３）の下面（３ａ）側に付設されている請求項１記載の観覧車。
【請求項３】
上記電飾表示部（２）は、同芯円状に配置された複数本の発光管（４）及び／又は螺旋状に配置された発光管（４）を有する請求項１又は２記載の観覧車。
【請求項４】
上記発光管（４）はベース盤（５）に取着され、該ベース盤（５）が上記乗り籠（１）に対して取り外し自在とされている請求項３記載の観覧車。
【請求項５】
上記電飾表示部（２）は、乳白色半透明のカバー（７）を有する請求項１，２，３又は４記載の観覧車。
【請求項６】
上記電飾表示部（２）は、個々の乗り籠（１）の電飾表示部（２）毎に独立して発光可能とさせかつ複数台の乗り籠（１）の電飾表示部（２）を関連付けて一つの電飾を施す電飾制御手段と接続されている請求項１，２，３，４又は５記載の観覧車。
【発明の詳細な説明】
【技術分野】
【０００１】
本発明は、観覧車に関するものである。
【背景技術】
【０００２】
近年、電飾を施すことにより、構造物としての大きさを利用し、見て楽しめる観覧車が注目されている。
そして、従来の観覧車は、回転輪に発光管が設けられている。つまり、回転輪を構成する放射状に配設した径方向杆にのみ、発光管が取り付けられている。
【０００３】
従って、従来の観覧車では、観覧車からある程度離れた遠方位置から見ると、様々な色変化を楽しむことができるが、観覧車近くの位置や真下からではその色変化が判りにくく面白みが欠け、大きな観覧車の割にはインパクトが小さくなるという欠点がある。
特に、街中における建物に取り付けられる観覧車においては、観覧車の真下から上方へ向かって、乃至、建物に面する道路の反対側位置から、見ることとなるため、上記欠点が顕著に現れる。
【特許文献１】特開２０００−２３３０８４号公報
【発明の開示】
【発明が解決しようとする課題】
【０００４】
解決しようとする課題は、観覧車近くの位置や真下からでは電飾を施しても判りにくく、色変化させても面白みに欠ける点である。特に建物が並ぶ街中では、この欠点が顕著に現れる点である。
【課題を解決するための手段】
【０００５】
本発明に係る観覧車は、乗り籠に電飾表示部を付設したものである。電飾表示部は、上記乗り籠の底壁部の下面側に付設されている。
また、上記電飾表示部は、同芯円状に配置された複数本の発光管及び／又は螺旋状に配置された発光管を有している。
さらに、上記発光管はベース盤に取着され、該ベース盤が上記乗り籠に対して取り外し自在とされている。
また、上記電飾表示部は、乳白色半透明のカバーを有するものである。
また、上記電飾表示部は、個々の乗り籠の電飾表示部毎に独立して発光可能とさせかつ複数台の乗り籠の電飾表示部を関連付けて一つの電飾を施す電飾制御手段と接続されているものである。
【発明の効果】
【０００６】
本発明の観覧車は、特に街中の建物に取り付けられた場合に、建物の直ぐ脇、観覧車の直下、建物に面する道路の反対側等の近距離位置から見ても、巨大な観覧車の電飾に面白みがあり、インパクトのあるものとすることができ、また、電飾の色変化も確認でき、観覧車の娯楽性を高めることができる。
【発明を実施するための最良の形態】
【０００７】
図１は、本発明の観覧車の実施の一形態を示す全体正面図であり、図２は、その全体側面図である。また、図３は、観覧車の回転輪８の外周縁部に取り付けられる乗り籠（キャビン）１の正面図であり、図４は、その乗り籠１の底面図である。
【０００８】
なお、図１と図２に示す観覧車は、建物26（の上）に支持されたものであるが、これ以外に、図示省略するが地上における平面部から立設させた支持脚にて支持する観覧車であってもよい。そして、本発明の観覧車は、乗り籠１に電飾表示部２が付設されている。
【０００９】
図３と図４に示すように、電飾表示部２は、乗り籠１の底壁部３の下面３ａ側に付設されており、電飾表示部２は、特に下方乃至水平面以下の方向に向かって光を発している。  乗り籠１は、上部の軸受部10に支持軸（図示省略）が挿入され、支持軸が観覧車の回転輪８に取着され、乗り籠１は回転輪８に吊り下げ状となる。
乗り籠１の形状は、図３と図４のような略短円柱形状や、図示省略するが繭形状等があり、形状に制限は無い。
【００１０】
電飾表示部２は、水平状の略円盤形とされており、乗り籠１の底壁部３の取付固定部６に取り付けられる。
電飾表示部２は、図５の断面正面図に示すように、複数本の発光管４と、発光管４が取り付けられるベース盤５と、ベース盤５が取り付けられる枠部材11と、ベース盤５に取り付けられ発光管４を包囲するカバー７と、を備えており、枠部材11が乗り籠１の底壁部３の下面３ａに設けた取付固定部６に取り付けられる。
【００１１】
図６は、電飾表示部２の発光管４の配置を示す説明図であり、カバー７を外した状態での底面図となる。
電飾表示部２は複数本の発光管４を有し、これら発光管４が同芯円状に配置され、複数本の発光管４から成る発光部は全体が円形に形成される。さらに、図６では複数本の発光管４が同一平面上（ベース盤５の下面）に配置されている。なお、図示省略するが、ベース盤５の下面に高さの低い隆起状の円錐部を形成し、全体が円形となるよう円錐部に発光管４を同芯円状に配置してもよい。
【００１２】
発光管４は、環状、乃至、円弧形状に湾曲させたネオン管とされ、図６では、電飾表示部２の中心部から途中部まで（中心から半径の略１／２までの範囲）は、１本が環状とされた環状発光管４により構成され、途中部から外周部までは、円弧状に湾曲させた発光管４を周方向連続させ配置することにより一つの円を形成して構成されている。
これによれば、長い発光管４を使用することなく大きな円形の電飾表示部２を形成することができる。
【００１３】
また、円弧状に湾曲させた発光管４により一つの環を形成する場合、１本の発光管４の端部を隣り合う他の発光管４の端部にラップさせるよう（又は端面が同一面となるよう）配置している。これにより、一つの環を形成する複数本の発光管４の発光部分が不連続とならず、電飾表示部２が一つのまとまったものとできる。
【００１４】
または、図示省略するが、電飾表示部２の複数の発光管４を、螺旋状に配置させてもよい。つまり、発光管４の一端部に他の発光管４の端部を次々に連続させて渦巻き状として配置している。なお、この場合においても、発光管４の端部同志をラップさせるよう（又は端面が同一面となるよう）配置させればよい。
【００１５】
あるいは、図示省略するが、電飾表示部２の発光管４を、同芯円状と螺旋状とに配置させてもよい。例えば、電飾表示部２の中心部から途中部まで（中心から半径の略１／２までの範囲）は、同芯円状に発光管４を複数本配置し、途中部から外周縁部までは、螺旋状に発光管４を複数本配置させてもよい。
【００１６】
発光管４は、３原色と言われる青、赤、緑の発光色のものが用いられ、電飾表示部２の発光部の中心から径方向外方に向かって１周毎に青、赤、緑と色を変えて順番に並べられる。つまり、図５と図６にて説明すると、中心から外方へ向かって順に、青の発光管４ａ、赤の発光管４ｂ、緑の発光管４ｃ、青の発光管４ａ、赤の発光管４ｂ、緑の発光管４ｃ…、と設置される。
また、この３原色に限らず、他の色の発光管４を採用したり、他の色を追加してもよく、適宜変更自在である。
【００１７】
そして、これらの組み合わせにより電飾表示部２において様々な色を表現することができ、また、光の強さに応じて柔らかな電飾表示部２から強く明るい電飾表示部２まで表現できる。
なお、発光管４の発光組み合わせや強弱は、図示省略するが、電飾表示部２の各発光管４と電気ケーブルを介して接続される電飾制御手段により行われる。電飾制御手段は、例えば、観覧車本体（回転輪８）の外部に設置される制御盤（コンピュータ）により構成され、電飾制御手段におけるスイッチの切り替えや出力調整により色の変化や切り替え等が行われる。なお、電飾制御手段における色の変化等は、電飾制御手段に予め保存されている自動プログラムにより行われ、かつ、外部入力により適宜変化させることができる。
【００１８】
また、電飾表示部２が有するカバー７は、乳白色半透明とされている。つまり、光透過性のある乳白色の樹脂部材にて作成され、カバー７は円形浅皿状であり、円形の発光部（複数本の発光管４）を側方及び下方から包囲する。
【００１９】
電飾制御手段は、電飾表示部２と接続されており、個々の乗り籠１の電飾表示部２毎に独立して発光可能とさせ、かつ、複数台の乗り籠１の電飾表示部２を関連付けて一つの電飾を施すことができる。
つまり、観覧車の全ての乗り籠１により観覧車を全体として一つの（テーマの）電飾が施された全体電飾状態とし、天気予報、気温（気温予想）や季節を表現する。また、この全体電飾状態ではあるが、電飾制御手段による独立制御により、特定の１台、乃至、特定の複数台の乗り籠１の電飾表示部２のみを、他とは異なる色にて点灯・点滅させた個別電飾状態とさせることができる。または、全体電飾状態を解除させ、個別電飾状態とさせてもよい。
【００２０】
具体的に説明すると、天気予報の表示では、全ての乗り籠１の電飾表示部２を青にすると晴天を表し、赤にすると雨を表し、気温の表示では、光の強弱により気温の高低を示す等とすればよく、また、１月から１２月まで各月に相応しい色を発光させてもよい。
さらに、これら天気予報、気温、季節の表示を所定時間毎（例えば１分毎）に切り換えて表示させてもよく、また、他の全体電飾状態（表示）としては、全体の点滅・色彩を制御して一つの模様（動的な模様）を表現してもよい。
【００２１】
次に、図５（イ）は、発光管４が設けられたベース盤５が乗り籠１側に取り付けられた状態を示し、図５（ロ）は、ベース盤５が外された状態を示している。
つまり、発光管４はベース盤５に取着され、ベース盤５が乗り籠１に対して取り外し自在とされている。
【００２２】
具体的に説明すると、ベース盤５はＬ型鋼等の梁12にて外周枠付き井桁状にされかつ全体（輪郭）が円形とされ、下面側に厚さの薄い白色の鉄板13が貼付けられて構成されている。そして、この鉄板13の下面側に発光管４（発光管用ソケット）が配設される。
そして、ベース盤５の外周部の複数カ所に、上方へ突出するボルト14が設けられている。また、ベース盤５の外周縁部に設けた止め金17によりカバー７の着脱を行わせている。
【００２３】
一方、乗り籠１の底壁部３の下面３ａには、下面３ａから下方へ突出状となる筒状の取付固定部６が設けられ、取付固定部６の下取付板15に貫通孔16が形成されている。
そして、取付固定部６の下取付板15に、ベース盤５を着脱可能とさせる枠部材11が取り付けられている。つまり、下取付板15の貫通孔16に、枠部材11の上面から上方へ突出するよう枠部材11に設けたボルト19を挿通させ、ナット20（ダブルナット）にて、下取付板15と枠部材11とを固定する。
【００２４】
枠部材11は、ベース盤５の上面及び側周面を覆う下方開口の蓋状とされ、ベース盤５の発光管４側へ水等が浸入しにくくなるようしている。
そして、枠部材11の内方空間部にベース盤５を組み込み、ベース盤５の上記ボルト14を枠部材11に設けた貫通孔21に挿通させ、枠部材11の上面にてナット22（ダブルナット）にて枠部材11とベース盤５とを固定する。従って、このナット22を外すことで、ベース盤５を枠部材11から取り外すことができる。
【００２５】
なお、図５では、枠部材11は、型鋼が井桁状に組まれベース盤５を支持する本体部23と、本体部23の上面・側周面をカバーするカバー部24と、を備える構成としているが、図示省略するが、本体部23を省略し、剛性を有するカバー部のみにて構成してもよい。
【００２６】
また、図１と図２に示す観覧車は、建物26に付設されたものであり、観覧車の支持脚を省略して、建物26の鉄骨自体に、回転輪８の中心軸部27を、支持させたものである。
さらに説明すると、建物26の正面の所定階Ｆから上方において、所定の狭い前後幅Ｅの範囲に形成した凹部（段部）29に回転輪８を位置させ、回転輪８の中心軸部27を、建物26の屋上の回転輪近傍位置にて、片持ち梁状として支持している。
これにより、観覧車を低コストにて構成可能となり、建物26との一体感が高まり、構造がシンプルでかつ外観が良好となる。
【００２７】
つまり、建物26の屋上であって上角部近傍位置（屋上面と凹部29の上縁との角部）に少なくとも一つ、建物26と連結され中心軸部27を支持する（支点となる）支持部28を設け、角部の近傍において、中心軸部27を鉄骨に片持ち梁状として支持している。また、中心軸部27の支点は、第１の上記支持部28と、第２の支持部31との２箇所としている。
【００２８】
なお、図２に示すように、中心軸部27を支持する支持部材30の高さ寸法ｈが、建物26の一階分の高さ寸法Ｈの 1.5倍よりも低く設定されている場合（ｈ＜ 1.5Ｈ）には、本発明において、支持脚を省略したと定義する。つまり、支持部材30の軸受部材やケーシング、鉄骨への接続金具や枠体等の取付用部材は、通常必要であり、これらは本発明では支持脚と見なさないのが技術上合理的だからである。
【００２９】
以上のように、本発明によれば、乗り籠１に電飾表示部２を付設しているため、その電飾により構造物としての大きさを利用しダイナミックなものとでき、見て楽しめる観覧車とすることができる。
電飾表示部２は、乗り籠１の底壁部３の下面３ａ側に付設されているため、近距離の位置や直下位置から見ても面白みがあり色変化が十分楽しめる。
特に街中の建物に観覧車が取り付けられた場合に、建物の直ぐ脇、観覧車の直下、建物に面する道路の反対側等の近距離位置から見ても、巨大な観覧車の電飾に面白みがあり、インパクトのあるものとすることができ、電飾の色変化も容易に確認できる。
【００３０】
電飾表示部２は、同芯円状に配置された複数本の発光管４及び／又は螺旋状に配置された発光管４を有するため、電飾表示部２全体を一つのまとまった大きな発光体として見せることができ、綺麗な電飾が可能となる。
発光管４はベース盤５に取着され、ベース盤５が乗り籠１に対して取り外し自在とされているため、発光管４の取り替え作業が容易である。
電飾表示部２は、乳白色半透明のカバー７を有するため、色変化の見映えがスムーズになってグラデーションをつけることが可能となる。従って、幻想的で幽玄な雰囲気を出すこともでき、視覚効果の高いものとできる。
【００３１】
電飾表示部２は、個々の乗り籠１の電飾表示部２毎に独立して発光可能とさせかつ複数台の乗り籠１の電飾表示部２を関連付けて一つの電飾を施す電飾制御手段と接続されているため、観覧車全体として一つの共通したテーマ（例えば、天気予報や気温情報等や）の電飾が可能となる。
さらに、乗り籠１の電飾表示部２を個別的に他と区別して発光色を変えたり点滅させる等できる。
【図面の簡単な説明】
【００３２】
【図１】建物に設けられた観覧車の全体正面図である。
【図２】建物に設けられた観覧車の全体側面図である。
【図３】乗り籠の正面図である。
【図４】乗り籠の底面図である。
【図５】電飾表示部の断面正面図である。
【図６】電飾表示部の発光管の配置を示す説明図である。
【符号の説明】
【００３３】
１  乗り籠
２  電飾表示部
３  底壁部
３ａ  下面
４  発光管
５  ベース盤
７  カバー
【図１】
2005137583.tif 000003
【図２】
2005137583.tif 000004
【図３】
2005137583.tif 000005
【図４】
2005137583.tif 000006
【図５】
2005137583.tif 000007
【図６】
2005137583.tif 000008